(57)【要約】【課題】  死角から物体が飛び出してくるような場合にも、物体と自車両との衝突をより回避しやすくする車両用走行支援装置を提供する。【解決手段】  自車両の前方の画像を入手することで死角を検出し、死角に物体が存在すると想定してその物体が飛び出してきたときの移動可能範囲を求め、自車予測位置と物体の移動可能範囲とから自車両と物体とが衝突する可能性があるか否かを求める。そして、自車両と物体とが衝突する可能性がある場合には、自車両が物体と衝突しないように走行支援制御が実行されるようにする。このように、死角に物体が存在すると想定して走行支援制御を実行するか否かを決めるようにすれば、実際に物体が検出されてから走行支援制御を実行する場合と比べて、早い段階で走行支援制御を実行するか否かを決めることが可能となる。【選択図】        図２
2006260217.tif 000002
【特許請求の範囲】
【請求項１】
自車両の進路を予測する自車進路予測手段（１００）と、
前記自車両の進行方向におけるドライバからの死角を認識する死角認識手段（１１０）と、
前記死角認識手段によって認識された死角から飛び出してくる可能性がある物体を予測する移動物体検出手段（１３０）と、
前記自動進路予測手段で求められた自車両の進路に基づき、前記自車両が前記移動物体検出手段で検出された前記物体に衝突することを回避するための走行支援制御を実行する走行支援制御手段（１５０）とを有していることを特徴とする車両用走行支援装置。
【請求項２】
前記自車進路予測手段は、自車両が現在から所定時間後に位置しているであろう自車予測位置を求める自車予測位置検出手段を有し、
前記移動物体検出手段は、前記死角検出手段によって認識された死角から飛び出してくる可能性がある前記物体を予測し、該物体が現在から所定時間後に移動可能な範囲を検出する物体移動可能範囲検出手段を有し、
さらに、前記自車予測位置検出手段によって求められた前記自車予測位置と前記物体移動範囲検出手段によって求められた物体の移動可能範囲とに基づいて、前記自車両と前記死角に存在すると想定される前記物体とが衝突する可能性があるか否かを判定する衝突判定手段（１４０）が備えられ、
前記走行支援制御手段は、前記衝突判定手段によって前記自車両が前記物体と衝突する可能性があると判定された場合に、前記自車両と前記物体との衝突を回避するための走行支援制御を実行することを特徴とする請求項１に記載の車両用走行支援装置。
【請求項３】
前記物体移動可能範囲検出手段は、前記物体を複数種類用意すると共に、該複数種類の中で前記死角から飛び出してくる可能性がある物体を求め、該求められた前記物体のすべてに関して前記移動可能範囲を検出するようになっていることを特徴とする請求項２に記載の車両用走行支援装置。
【請求項４】
前記死角における道幅を求める道幅認識手段（１２０）を備え、
前記物体移動可能範囲検出手段は、前記道幅認識手段によって求められた道幅と前記複数種類の物体との関係から、前記複数種類の物体の中で前記死角から飛び出してくる可能性がある物体を求めるようになっていることを特徴とする請求項３に記載の車両用走行支援装置。
【請求項５】
前記物体移動可能範囲検出手段は、前記複数種類の物体のうち前記道幅認識手段で求められた道幅よりも大きな幅を有するものに関しては移動速度をゼロとして設定し、道幅よりも小さな幅を有するものに関しては移動速度をゼロよりも大きな所定速度とすることで、前記移動可能範囲を検出するようになっていることを特徴とする請求項４に記載の車両用走行支援装置。
【発明の詳細な説明】
【技術分野】
【０００１】
本発明は、車両が障害物と接触することを避けられるように走行支援制御を行う車両用走行支援装置に関するものである。
【背景技術】
【０００２】
従来、車両用走行支援装置として特許文献１に提案されているものがある。この車両用走行支援装置では、カメラなどにより自車両の進行方向の物体を検出し、その検出された物体が自車両と衝突する可能性があるか否かを予測し、その物体が自車両と衝突する可能性があると予測した場合に、走行支援制御を行うようにしている。
【特許文献１】特開２００４−１１０３９４号公報
【発明の開示】
【発明が解決しようとする課題】
【０００３】
しかしながら、見通しの悪い交差点など、死角がある場合において、死角から物体が飛び出してくるようなシチュエーションでは、飛び出してきた物体が検出されてからその物体との衝突を避けるように走行支援制御を行ったとしても間に合わず、物体と自車両との衝突を回避できなくなる可能性が高い。
【０００４】
本発明は上記点に鑑みて、死角から物体が飛び出してくるような場合にも、物体と自車両との衝突をより回避しやすくする車両用走行支援装置を提供することを目的とする。
【課題を解決するための手段】
【０００５】
上記目的を達成するため、請求項１に記載の発明では、自車両の進路を予測する自車進路予測手段（１００）と、自車両の進行方向におけるドライバからの死角を認識する死角認識手段（１１０）と、死角認識手段によって認識された死角から飛び出してくる可能性がある物体を予測する移動物体検出手段（１３０）と、自動進路予測手段（１００）で求められた自車両の進路に基づき、自車両が移動物体検出手段（１３０）で検出された物体に衝突することを回避するための走行支援制御を実行する走行支援制御手段（１５０）とを有していることを特徴としている。
【０００６】
このように、自車両の前方の死角を検出し、死角に物体が存在すると想定してその物体が飛び出してきたときに、自車両が物体と衝突しないように走行支援制御が実行されるようになっている。つまり、死角に物体が存在すると想定して走行支援制御を実行するか否かを決めるようにしているため、実際に物体が検出されてから走行支援制御を実行する場合と比べて、早い段階で走行支援制御を実行するか否かを決めることが可能となる。このため、走行支援制御によって、より確実に自車両が物体と衝突することを防止することができる。
【０００７】
具体的には、請求項２に示されるように、自車進路予測手段に、自車両が現在から所定時間後に位置しているであろう自車予測位置を求める自車予測位置検出手段を備えると共に、移動物体検出手段に、死角検出手段によって認識された死角から飛び出してくる可能性がある物体を予測し、該物体が現在から所定時間後に移動可能な範囲を検出する物体移動可能範囲検出手段を備える。そして、自車予測位置検出手段によって求められた自車予測位置と物体移動範囲検出手段によって求められた物体の移動可能範囲とに基づいて、自車両と死角に存在すると想定される物体とが衝突する可能性があるか否かを判定する衝突判定手段（１４０）を備え、走行支援制御手段にて、衝突判定手段によって自車両が物体と衝突する可能性があると判定された場合に、自車両と物体との衝突を回避するための走行支援制御を実行する。
【０００８】
このように、 死角に物体が存在すると想定してその物体が飛び出してきたときの移動可能範囲を求め、自車予測位置と物体の移動可能範囲とから自車両と物体とが衝突する可能性があるか否かを求めることができる。
【０００９】
この場合、請求項３に示されるように、物体移動可能範囲検出手段にて、物体を複数種類用意すると共に、該複数種類の中で死角から飛び出してくる可能性がある物体を求め、該求められた物体のすべてに関して移動可能範囲を検出することができる。
【００１０】
請求項４に記載の発明では、死角における道幅を求める道幅認識手段（１２０）を備え、物体移動可能範囲検出手段は、道幅認識手段によって求められた道幅と複数種類の物体との関係から、複数種類の物体の中で死角から飛び出してくる可能性がある物体を求めることを特徴としている。
【００１１】
このように、道幅との関係から複数種類の物体の中で前記死角から飛び出してくる可能性がある物体を決めることができる。例えば、道幅が車幅よりも狭いような場合には、死角から車両が飛び出してくるとは想定されないため、道幅よりも狭いような物体のみを飛び出してくる可能性があるものとすることができる。
【００１２】
この場合、請求項５に示されるように、物体移動可能範囲検出手段は、複数種類の物体のうち道幅認識手段で求められた道幅よりも大きな幅を有するものに関しては移動速度をゼロとして設定し、道幅よりも小さな幅を有するものに関しては移動速度をゼロよりも大きな所定速度とすることで、移動可能範囲を検出することもできる。
【００１３】
なお、上記各手段の括弧内の符号は、後述する実施形態に記載の具体的手段との対応関係を示すものである。
【発明を実施するための最良の形態】
【００１４】
以下、本発明の実施形態について図に基づいて説明する。
【００１５】
（第１実施形態）
本発明の一実施形態を適用した車両用走行支援装置のブロック構成を図１に示す。この図に示される車両用走行支援装置は、例えば自動運転可能な車両に搭載される。以下、図１に基づいて、車両用走行支援装置の構成について説明する。
【００１６】
図１に示されるように、車両用走行支援装置は、自車両の周辺環境や自車両の状況を検出するための手段として車速センサ１、ミリ波レーダ２、ＣＣＤカメラ３、ヨーレートセンサ４および舵角センサ５を備えていると共に、検出された自車両の周辺環境や自車両の状況に基づいて車両支援制御に関わる各種演算などを実行する制御ＥＣＵ６、さらには、制御ＥＣＵ６からの制御信号に基づいて実際に車両支援制御を実行する手段となる操舵制御装置７、駆動力制御装置８、警報装置９および制動力制御装置１０を備えて構成されている。
【００１７】
車速センサ１は、車両用走行支援装置が取り付けられた車両の速度に応じた出力信号を出力するものである。ここでは、車速センサを例に挙げているが、これに代えて、近年、車両に一般的に取り付けられるようになりつつある車輪速度センサを用いることも可能である。この場合、車輪速度センサから車輪速度に応じた検出信号が出力されるため、その検出信号に基づいて制御ＥＣＵ６にて車速を求めるようにしても良し、ブレーキＥＣＵなど他のＥＣＵにおいて車輪速度センサの検出信号から車速が求められている場合には、その車速に関する信号をブレーキＥＣＵから受け取るようにしても良い。
【００１８】
ミリ波レーダ２は、例えば、車両の前方や車両の近傍の様子を検出するためのものであり、例えば、歩行者や車両進行方向に存在する壁などの障害物との自車両との距離や相対速度などを検出するようになっている。具体的には、周波数変調されたレーダ波を送受信することにより、対象物との相対距離や相対速度に関する情報を取り出すことで、例えば前方車両と自車両との関係を検出するようになっている。このミリ波レーダ２の検出信号、すなわち障害物と自車両との距離や相対速度を示す電気信号が制御ＥＣＵ６に出力されるようになっている。
【００１９】
ＣＣＤカメラ３は、例えば、車両内外に取り付けられ、車両の前方や車室内の様子を二眼画像として捉えることができる装置である。このＣＣＤカメラ３が撮影した映像の画像データに基づいて、例えば、車両前方の障害物となる他車両等の物体を解析することや、自車両のドライバの視線の方向を解析すること、さらには車両の進行方向に存在する死角を検出することができる。このようなＣＣＤカメラ３における画像データもしくは画像データを解析した後の死角や障害物となる物体や自車両のドライバの視線などに関する情報が電気信号として制御ＥＣＵ６に出力されるようになっている。
【００２０】
ヨーレートセンサ４は、車両に発生しているヨーレート（ヨー角速度）に応じた検出信号を出力するものである。このヨーレートセンサ４からの検出信号が制御ＥＣＵ６に入力され、制御ＥＣＵ６でヨーレートを検出できるようになっている。
【００２１】
舵角センサ５は、ドライバによるステアリング操作量に応じた信号を検出信号として出力するものである。この舵角センサ５の検出信号に基づいて、車両の旋回状態を求めることが可能となる。
【００２２】
制御ＥＣＵ６は、ＣＰＵ、ＲＯＭ、ＲＡＭ、Ｉ／Ｏなどを有する周知のマイクロコンピュータによって構成されているもので、ＲＯＭに記憶されたプログラムにしたがって、車両走行支援制御処理を実行するものである。
【００２３】
具体的には、制御ＥＣＵ６は、車速センサ１、ミリ波レーダ２、ＣＣＤカメラ３、ヨーレートセンサ４および舵角センサ５からの検出信号等の各種電気信号を受け取り、車速、自車両の進行方向に存在する障害物や死角、障害物や死角までの距離、死角となっている場所の道幅、ヨーレート、舵角などを求めるようになっている。そして、制御ＥＣＵ６は、求められた結果に基づいて、走行支援制御を実行するべきか否かを決定し、走行支援制御を実行するべきと判定した場合に走行支援制御を実行すべく、走行支援制御の形態に応じて操舵制御装置７、駆動力制御装置８、警報装置９および制動力制御装置１０に対して制御信号を出力するようになっている。
【００２４】
操舵制御装置７は、制御ＥＣＵ６からの制御信号に基づいて操舵角の制御を行うものである。具体的には、操舵制御装置７は、操舵角を自動調整するアクチュエータおよびそのアクチュエータを駆動するＥＣＵ等によって構成され、ドライバがステアリング操作をしていなくても、制御ＥＣＵ６からの制御信号に示された操舵角への調整を行うことができるようになっている。
【００２５】
駆動力制御装置８は、制御ＥＣＵ６からの制御信号に基づいて駆動力の制御を行うものである。具体的には、駆動力制御装置８は、エンジンのスロットルバルブの調整や燃料噴射量の調整、さらには、トランスミッションにおけるギア位置の調整などを行う各種アクチュエータおよびそれらのアクチュエータを駆動するＥＣＵ等によって構成され、制御ＥＣＵ６からの制御信号に示された駆動力となるように各種アクチュエータの駆動を行うことができるようになっている。
【００２６】
警報装置９は、例えば警報ランプや警報音発生部もしくは警報表示部によって構成される。警報ランプは、例えば、車室内におけるインストルメントパネルに設けられた警告用の表示ランプであり、視覚を通じてドライバに対して危険性があることを警報するものである。例えば、上述した制御ＥＣＵ６から警報を行うことを示す電気信号が入力されると、警報ランプが点灯して、危険性があることをドライバに対して警告するようになっている。
【００２７】
警告音発生部は、例えば、車室内に設置された警報用のブザーやオーディオ装置もしくはナビゲーション装置に装備されたスピーカなどの音声発生装置によって構成され、聴覚を通じてドライバに対して衝突危険性があることを警告するものである。例えば、上述した警報を行うことを示す電気信号が入力されると、警報音発生部から音声が出力されることで、衝突危険性があることをドライバに対して警告するようになっている。具体的には、警報音発生部がスピーカによって構成される場合には、衝突危険性に応じた内容のコメントが音声で出力される。
【００２８】
制動力制御装置１０は、制御ＥＣＵ６からの制御信号に基づいて制動力の制御を行うものである。具体的には、制動力制御装置１０は、ブレーキ液圧制御用アクチュエータやホイールシリンダ、ホイールシリンダ加圧によって制動力を発生させるディスクブレーキ、およびブレーキ液圧制御用アクチュエータを駆動するブレーキＥＣＵ等によって構成され、制御ＥＣＵ６からの制御信号に示された制動力となるようにブレーキ液圧制御用アクチュエータの駆動を行うことができるようになっている。
【００２９】
続いて、上記のように構成される車両用走行支援装置の作動について説明する。図２は、本実施形態の車両用走行支援装置の制御ＥＣＵ６で実行される走行支援制御処理のフローチャートを示したものである。本図中に示したステップが、各種処理を実行する手段に対応する。この走行支援制御処理は所定の演算周期ごとに実行され、例えば図示しないイグニッションスイッチがオンされたときもしくは車両走行中に実行される。
【００３０】
まず、ステップ１００では、自車進路予測が行われる。制御ＥＣＵ６のうち、この処理を実行する部分が自車進路予測手段、自車予測位置検出手段に相当する。自車進路は、自動走行が行われる車両であれば、予め決まっているため、その予め決められた進路が予測される自車進路とされる。これにより、現在から所定時間後、例えば１秒後に自車が位置しているであろう自車予測位置や２秒後に自車が位置しているであろう自車予測位置が求められる。
【００３１】
なお、ここでは、本実施形態では、自動走行が行われるような車両について説明するが、自車走行が行えないような車両の場合、車速や操舵角やＣＣＤカメラ３で映し出されたドライバの視線の方向などから、自車進路予測を行うことも可能である。例えば、車速が所定値よりも速い場合には、仮に前方に交差点などが存在していたとしても交差点で曲がる可能性が少ない。また、操舵角に変化があるか否かや、ドライバの視線が直進方向しか見ていないか又は曲がる方向を見ているかなどからも、同様に、自車進路予測を行うことができる。
【００３２】
続く、ステップ１１０では、死角認識が行われる。制御ＥＣＵ６のうち、この処理を実行する部分が死角認識手段に相当する。死角は、ＣＣＤカメラ３で得た画像に基づいて認識される。例えば、ＣＣＤカメラ３で得られた二眼画像が図３のように示されたとすると、道路の切れ目（壁の切れ目）などから死角が存在していることを判別することができる。このような死角の認識は、例えば、予め制御ＥＣＵ６内に死角となる場合の条件をパターン化して記憶させておき、そのパターンと比較することで行われる。
【００３３】
そして、ステップ１２０に進み、死角の道幅認識が行われる。制御ＥＣＵ６のうち、この処理を実行する部分が道幅認識手段に相当する。死角の道幅認識は、図４に示される手法によって行われる。まず、自車両から遠い側の交差点角部までの距離Ａを求めると共に、自車両から近い側の交差点角部までの距離Ｂを求める。これらの距離は、ＣＣＤカメラ３で得た画像の見え方のズレから演算することができる。また、ミリ波レーダ２によっても障害物までの距離を認識できることから、ミリ波レーダ２で求められた障害物までの距離をそのまま距離Ａ、距離Ｂとして用いることもできるし、これを用いてＣＣＤカメラ３で求められた距離Ａ、距離Ｂの信頼性の向上に用いることもできる。例えば、ミリ波レーダ２で求められた障害物までの距離Ａ、ＢがＣＣＤカメラ３で求められた距離Ａ、距離Ｂと一致していた場合にのみＣＣＤカメラ３で求められた距離Ａ、距離Ｂを有効と取り扱われるようにすることもできる。
【００３４】
次に、自車両から遠い側の交差点の角部と自車両とを結ぶ線と死角が存在する道路の端が構成する線との角度Ｃを求めると共に、自車両から近い側の交差点の角部と自車両とを結ぶ線と死角が存在する道路の端が構成する線との角度Ｄを求める。このときの角度も、ＣＣＤカメラ３に入手した二眼画像を利用して求めることが可能である。
【００３５】
そして、これら距離Ａ、距離Ｂ、角度Ｃ、角度Ｄを用いて、次式から死角の道路幅が求められる。
【００３６】
（数１）
死角の道路幅＝Ａ×ｃｏｓＣ−Ｂ×ｃｏｓＤ
なお、自車両から死角までの距離が離れていて、Ｃ≒Ｄ≒０である場合には、死角の道路幅はＡ−Ｂとなる。
【００３７】
続いて、ステップ１３０に進み、死角に様々な物体が存在している可能性があるものと想定し、各種物体の移動可能範囲が演算される。制御ＥＣＵ６のうち、この処理を実行する部分が移動物体検出手段、物体移動可能範囲検出手段に相当する。この処理により、現在から所定時間後、例えば１秒後に各種物体が移動可能であると想定される移動可能範囲、２秒後に物体が移動可能であると想定される移動可能範囲が求められる。
【００３８】
このときの物体の移動可能範囲は、例えば上記ステップ１２０で求められた死角の道路幅に基づいて求められる。図５は、死角の道路幅と物体の移動速度との関係を示したものであり、図５（ａ）〜（ｄ）は、それぞれ、物体が自動車、自転車、歩行者、猫であった場合に想定される死角の道路幅と移動速度との関係を示している。
【００３９】
物体の幅はある程度決まっているため、死角の道路幅が物体の幅として想定される幅よりも狭い場合には、その物体はその死角から飛び出してくることは無い。このため、物体の道路幅よりも死角となっている道路幅が狭いような場合には、その物体の移動速度を０とすることで物体が移動してくることは無いものとみなし、物体の幅よりも道路幅が大きくなった場合に、その物体に移動速度を与えるようにしている。そして、死角の道路幅が広ければ広いほど物体の移動速度が速くなる可能性があるため、死角の道路幅が大きくなるのに合せて物体の移動速度を大きくし、その反面、物体の物理的に可能な移動速度が存在することから、物体の移動速度を物体の種類に応じて変化させるようにしている。
【００４０】
このようにして物体の移動速度が分かれば、物体の種類ごとに移動可能範囲が分かる。なお、この後の処理において、各種物体の移動可能範囲を１つずつ用いてもよいが、物体の移動可能範囲が一番広くなる範囲、つまり死角から飛び出してくる可能性がある物体の移動可能範囲を足し合わせた範囲が、死角に存在し得るすべての物体の移動可能範囲と定義して、それを移動可能範囲として用いても構わない。
【００４１】
さらに、物体の移動速度と死角から飛び出してくる角度とを関係付けて記憶しておき、移動速度と死角からの飛び出し方向（飛び出し角度）との双方に基づいて移動可能範囲を決めることも可能である。例えば、飛び出し方向は、物体が車両である場合には車両旋回可能角度等から一義的に決まり、自転車や歩行者、猫である場合にも、死角から真っ直ぐに飛び出してくる場合と斜めもしくは飛び出そうとする道路に対してほぼ平行に飛び出してくる場合とで、移動速度が異なったものとなると考えられる。このため、物体の移動速度と飛び出し方向とから物体の移動可能範囲を決定するようにすれば、より正確な移動可能範囲を求めることができる。
【００４２】
この後、ステップ１４０に進み、物体と自車両とが衝突する可能性があるか否かが判定される。制御ＥＣＵ６のうち、この処理を実行する部分が衝突判定処理に相当する。ここでの判定は、上述したステップ１００で求められた所定時間後の自車予測位置と、ステップ１３０で求められた物体の移動可能範囲とに基づいて行われる。
【００４３】
図６に、自車予測位置と物体の移動可能範囲との関係を示した模式図を示す。この図は、死角に他車両２１が存在し得る場合において、その他車両２１と自車両２０との衝突可能性を示したものである。
【００４４】
図６（ａ）に示されるように、自車両２０の現在位置がＰ位置である場合において、他車両２１の現在位置が死角の最も先端位置であったと想定したとき、１秒後の自車予想位置Ａおよび２秒後の自車予想位置Ｂと、１秒後の他車両２１の移動可能範囲Ａ’および２秒後の他車両２１の移動可能範囲Ｂ’とが、図示のような関係となる。この場合には、自車予想位置Ａと他車両２１の移動可能範囲Ａ’、もしくは、自車予想位置Ｂと他車両２１の移動可能範囲Ｂ’とが重ならないため、自車両２０と他車両２１とが衝突する可能性が無い。
【００４５】
一方、図６（ｂ）に示されるように、自車両２０の現在位置がＱ位置である場合において、他車両２１の現在位置が死角の最も先端位置であったと想定したとき、１秒後の自車予想位置Ａおよび２秒後の自車予想位置Ｂと、１秒後の他車両の移動可能範囲Ａ’および２秒後の他車両２１の移動可能範囲Ｂ’とが、図示のような関係となる。この場合には、自車予想位置Ａと他車両の移動可能範囲Ａ’、もしくは、自車予想位置Ｂと他車両２１の移動可能範囲Ｂ’とが重なり、自車両２０と他車両２１とが衝突する可能性が有る。
【００４６】
このため、図６（ａ）に示されるように、自車両２０の現在位置がＰ位置にあるような場合には、他車両２１などの物体と衝突する可能性が無いものと判定され、図６（ｂ）に示されるように、自車両２０の現在位置がＱ位置にあるような場合には、他車両２１などの物体と衝突する可能性があるものと判定される。
【００４７】
このような手法によって自車両と物体とが衝突する可能性があるか否かが判定され、このステップで衝突する可能性が無いものと判定された場合には、走行支援制御を実行する必要がないため、そのままステップ１００に戻り、衝突する可能性があるものと判定された場合には、ステップ１５０に進んで走行支援制御が実行される。
【００４８】
走行支援制御は、自車両と物体との衝突を回避すべく、自車両を物体との衝突可能性が無い場所に誘導するものである。制御ＥＣＵ６のうち、この走行支援制御を実行する部分が走行支援制御手段に相当する。例えば、操舵制御装置７による操舵角の制御によって自車両の進路方向を変更することで他車両から自車両を離したり、駆動力制御装置８による駆動力制御によって物体と衝突する前に物体の移動範囲を超えれるように自車両の駆動力を上昇させたり、警報装置９によって自車両が物体と衝突する可能性があることをドライバに警報したり、制動力制御装置１０による制動力制御によって物体の移動範囲まで自車両が移動しないように制動力をかけたりされる。このような走行支援制御によって具体的に実行される各種制御に関しては、様々な制御形態を採用することができるが、それらに関しては従来より知られているものであるため、ここでは説明を省略する。
【００４９】
以上説明した本実施形態の車両用走行支援装置によれば、自車両の前方の画像を入手することで死角を検出し、死角に物体が存在すると想定してその物体が飛び出してきたときの移動可能範囲を求め、自車予測位置と物体の移動可能範囲とから自車両と物体とが衝突する可能性があるか否かを求めている。そして、自車両と物体とが衝突する可能性がある場合には、自車両が物体と衝突しないように走行支援制御が実行されるようになっている。
【００５０】
このように、死角に物体が存在すると想定して走行支援制御を実行するか否かを決めるようにしているため、実際に物体が検出されてから走行支援制御を実行する場合と比べて、早い段階で走行支援制御を実行するか否かを決めることが可能となる。このため、走行支援制御によって、より確実に自車両が物体と衝突することを防止することができる。
【００５１】
（他の実施形態）
上記第１実施形態では、自車両の前方の画像を入手することで死角を求めるようにしているが、ミリ波レーダ２のみによって求めることもできる。また、ナビゲーション装置のように地図情報を記憶する媒体がある場合には、それに死角情報などを記憶させておき、その死角情報に基づいて、死角認識を行うことも可能である。なお、ナビゲーション装置などを利用する場合、ナビゲーション装置における走行経路案内サービスを利用することで、自車進路を予測することも可能である。
【図面の簡単な説明】
【００５２】
【図１】本発明の第１実施形態における車両用走行支援装置のブロック構成を示す図である。
【図２】図１に示す車両用走行支援装置の制御ＥＣＵで実行される走行支援制御処理のフローチャートである。
【図３】ＣＣＤカメラで得られた二眼画像の模式図である。
【図４】死角の道幅認識の手法を示した説明図である。
【図５】死角の道路幅と物体の移動速度との関係を示した相関図である。
【図６】自車予測位置と物体の移動可能範囲との関係を示した模式図である。
【符号の説明】
【００５３】
１…車速センサ、２…ミリ波レーダ、３…ＣＣＤカメラ、４…ヨーレートセンサ、
５…舵角センサ、６…制御ＥＣＵ、７…操舵制御装置、８…駆動力制御装置、
９…警報装置、１０…制動力制御装置。
【図１】
2006260217.tif 000003
【図２】
2006260217.tif 000004
【図３】
2006260217.tif 000005
【図４】
2006260217.tif 000006
【図５】
2006260217.tif 000007
【図６】
2006260217.tif 000008